(57)【特許請求の範囲】
【請求項１】
換気対象空間（S）へ室外の空気を給気する給気ファン（26）と、
上記換気対象空間（S）の空気を室外へ排出する排気ファン（25）と、
上記換気対象空間（S）の空気の湿度を調節する調湿ユニット（50）と、
上記給気ファン（26）及び排気ファン（25）の風量がそれぞれの目標風量に近づくように、該給気ファン（26）及び排気ファン（25）の回転数を調節する風量一定制御を行う風量制御部（101）とを備えた調湿換気装置であって、
上記給気ファン（26）及び排気ファン（25）の風量一定制御中において、上記給気ファン（26）の回転数の減少変化量が所定値を越え且つ上記排気ファン（25）の回転数の増大変化量が所定値を越えると、上記換気対象空間（S）の空気を室外へ排出する排気扇（80）がＯＮ状態になったと判定する判定部（103）を備え、
上記風量制御部（101）は、上記判定部（103）が上記排気扇（80）のＯＮ状態を判定すると、上記風量一定制御を中止し、上記換気対象空間（S）の全体の給気量と全体の排気量がバランスするように、上記給気ファン（26）の回転数を上昇させ且つ上記排気ファン（25）の回転数を低下させた後に上記給気ファン（26）及び上記排気ファン（25）の回転数を一定に保つ回転数一定制御を行う
ことを特徴とする調湿換気装置。
【請求項２】
請求項１において、
上記判定部（103）は、上記回転数一定制御中において、上記給気ファン（26）の消費電力の減少変化量が所定値を越え且つ上記排気ファン（25）の消費電力の増大変化量が所定値を越えると、上記排気扇（80）がＯＦＦ状態になったと判定し、
上記風量制御部（101）は、上記判定部（103）が上記排気扇（80）のＯＦＦ状態を判定すると、上記回転数一定制御を中止して上記風量一定制御を行う
ことを特徴とする調湿換気装置。
【請求項３】
換気対象空間（S）へ室外の空気を給気する給気ファン（26）と、
上記換気対象空間（S）の空気を室外へ排出する排気ファン（25）と、
上記換気対象空間（S）の空気の湿度を調節する調湿ユニット（50）と、
上記給気ファン（26）及び排気ファン（25）の風量がそれぞれの目標風量に近づくように、該給気ファン（26）及び排気ファン（25）の回転数を調節する風量一定制御を行う風量制御部（101）とを備えた調湿換気装置であって、
上記給気ファン（26）及び排気ファン（25）の風量一定制御中において、上記給気ファン（26）の回転数の増大変化量が所定値を越え且つ上記排気ファン（25）の回転数の減少変化量が所定値を越えると、上記換気対象空間（S）へ室外の空気を給気する給気扇（90）がＯＮ状態になったと判定する判定部（103）を備え、
上記風量制御部（101）は、上記判定部（103）が上記給気扇（90）のＯＮ状態を判定すると、上記風量一定制御を中止し、上記換気対象空間（S）の全体の給気量と全体の排気量がバランスするように、上記給気ファン（26）の回転数を低下させ且つ上記排気ファン（25）の回転数を上昇させた後に上記給気ファン（26）及び上記排気ファン（25）の回転数を一定に保つ回転数一定制御を行う
ことを特徴とする調湿換気装置。
【請求項４】
請求項３において、
上記判定部（103）は、上記回転数一定制御中において、上記給気ファン（26）の消費電力の増大変化量が所定値を越え且つ上記排気ファン（25）の消費電力の減少変化量が所定値を越えると、上記給気扇（90）がＯＦＦ状態になったと判定し、
上記風量制御部（101）は、上記判定部（103）が上記給気扇（90）のＯＦＦ状態を判定すると、上記回転数一定制御を中止して上記風量一定制御を行う
ことを特徴とする調湿換気装置。
【発明の詳細な説明】
【技術分野】
【０００１】
本発明は、室内の換気及び調湿を行う調湿換気装置に関するものである。
【背景技術】
【０００２】
従来より、室内の換気及び調湿を行う調湿換気装置が知られている。特許文献１には、この種の調湿換気装置が開示されている。調湿換気装置は、給気ファン及び排気ファンを備え、室内の換気を行うように構成される。つまり、調湿換気装置では、給気ファンによって室外空気が室内へ供給される同時に、排気ファンによって室内空気が室外へ排出される。また、この調湿換気装置は、吸着熱交換器が接続された冷媒回路（調湿ユニット）を備え、室内の調湿（除湿や加湿）を行うように構成される。
【０００３】
具体的に、調湿換気装置の除湿運転では、蒸発器となった吸着熱交換器の吸着剤に空気中の水分が吸着される。そして、このように除湿された空気が室内へ供給される。また、調湿換気装置の加湿運転では、凝縮器となった吸着熱交換器の吸着剤から水分が脱離し、脱離した水分が空気中へ付与される。そして、このように加湿された空気が室内へ供給される。
【０００４】
また、同文献の調湿換気装置では、室内の換気量（給気風量及び排気風量）を最適に保つために、風量一定制御が行われる。この風量一定制御では、給気ファン及び排気ファンの風量が所定の目標風量にそれぞれ近づくように、給気ファン及び排気ファンの回転数が調節される。
【先行技術文献】
【特許文献】
【０００５】
【特許文献１】特開２００９−１０９１３４号公報
【発明の概要】
【発明が解決しようとする課題】
【０００６】
ところで、調湿換気装置の換気対象の空間には、給気扇や排気扇等の他の換気装置が設けられることがある。調湿換気装置が上述した風量一定制御を行っているときに、このような他の換気装置が運転されると、排気量や給気量が過剰となり、排気ファンや給気ファンの動力のロスが生じることがあった。この点について、以下に具体的に説明する。
【０００７】
例えば排気扇が設けられた換気対象空間において、調湿換気装置の運転中に排気扇がＯＮ状態になったとする。この場合、換気対象空間は、排気扇の運転に伴い負圧になるので、給気ファンの通風抵抗が低下し、逆に排気ファンの通風抵抗が増大する。すると、風量一定制御では、給気ファンの風量が目標風量よりも大きく変化しないように、給気ファンの回転数が小さく調節され、逆に排気ファンの風量が目標風量よりも小さく変化しないように、排気ファンの回転数が大きく調節される。このような運転状態では、換気対象空間の全体の排気風量が、全体の給気風量よりも大きくなるので、結果的には排気ファンの動力が過剰となる。
【０００８】
また、例えば給気扇が設けられた換気対象空間において、調湿換気装置の運転中に給気扇がＯＮ状態になったとする。この場合、換気対象空間は、給気扇の運転に伴い陽圧になるので、給気ファンの通風抵抗が増大し、逆に排気ファンの通風抵抗が低下する。すると、風量一定制御では、給気ファンの風量が目標風量よりも小さく変化しないように、給気ファンの回転数が大きく調節され、逆に排気ファンの風量が目標風量よりも大きく変化しないように、排気ファンの回転数が小さく調節される。このような運転状態では、換気対象空間の全体の給気風量が、全体の排気風量よりも大きくなるので、結果的には給気ファンの動力が過剰となる。
【０００９】
このように、調湿換気装置が風量一定制御を行っているときに、他の換気装置が運転されると、給気ファンや排気ファンの動力が過剰となり、省エネ性が損なわれてしまう。一方、このような課題を解決するために、他の換気装置のＯＮ状態を示す信号を調湿換気装置側へ送り、他の換気装置の運転に連動して給気ファンや排気ファンの回転数を制御することも考えられる。しかし、このようにすると、調湿換気装置を設置する際、調湿換気装置と他の換気装置とをその都度、伝送ケーブル等で繋ぐ必要があり、調湿換気装置の施工が煩雑となり、部品点数も増大してしまう。
【００１０】
本発明は、かかる点に鑑みてなされたものであり、その目的は、他の換気装置の運転に伴うファン動力の増大を、伝送を行うことなく防止できる調湿換気装置を提案することである。
【課題を解決するための手段】
【００１１】
第１及び第３の各発明は、換気対象空間（S）へ室外の空気を給気する給気ファン（26）と、該換気対象空間（S）の空気を室外へ排出する排気ファン（25）と、該換気対象空間（S）の空気の湿度を調節する調湿ユニット（50）と、上記給気ファン（26）及び排気ファン（25）の風量がそれぞれの目標風量に近づくように、該給気ファン（26）及び排気ファン（25）の回転数を調節する風量一定制御を行う風量制御部（101）とを備えた調湿換気装置を対象とする。
【００１２】
上記第１の発明は、上記給気ファン（26）及び排気ファン（25）の風量一定制御中において、上記給気ファン（26）の回転数の減少変化量が所定値を越え且つ上記排気ファン（25）の回転数の増大変化量が所定値を越えると、上記換気対象空間（S）の空気を室外へ排出する排気扇（80）がＯＮ状態になったと判定する判定部（103）を備え、上記風量制御部（101）は、上記判定部（103）が上記排気扇（80）のＯＮ状態を判定すると、上記風量一定制御を中止し、上記換気対象空間（S）の全体の給気量と全体の排気量がバランスするように、上記給気ファン（26）の回転数を上昇させ且つ上記排気ファン（25）の回転数を低下させた後に上記給気ファン（26）及び上記排気ファン（25）の回転数を一定に保つ回転数一定制御を行うことを特徴とする。
【００１３】
第１の発明では、給気ファン（26）及び排気ファン（25）の風量一定制御中において、排気扇（80）がＯＮ状態になったことを判定部（103）が判定する。具体的に、給気ファン（26）及び排気ファン（25）が風量一定制御を行っているときに排気扇（80）が運転されると、換気対象空間（S）の圧力が低下し負圧となる。この結果、排気ファン（25）の通風抵抗が増大する一方で、給気ファン（26）の通風抵抗が小さくなる。すると、風量一定制御により、排気ファン（25）の回転数が増大すると同時に給気ファン（26）の回転数が減少する。そこで、判定部（103）は、排気ファン（25）の回転数の増大変化量が所定値を越えると同時に給気ファン（26）の回転数の減少変化量が所定値を越えると、排気扇（80）がＯＮ状態になったと判定する。
【００１４】
第１の発明の風量制御部（101）は、排気扇（80）がＯＮ状態になったことを判定部（103）が判定すると、風量一定制御を中止し、換気対象空間（S）の全体の給気量と全体の排気量とがバランスするように、給気ファン（26）の回転数を上昇させ且つ排気ファン（25）の回転数を低下させた後に回転数一定制御を行う。これにより、排気扇（80）がＯＮ状態となった後、排気ファン（25）の風量が過剰となることを防止でき、換気対象空間（S）の給気量と排気量をバランスさせることができる。
【００１５】
第２の発明は、第１の発明において、上記判定部（103）は、上記回転数一定制御中において、上記給気ファン（26）の消費電力の減少変化量が所定値を越え且つ上記排気ファン（25）の消費電力の増大変化量が所定値を越えると、上記排気扇（80）がＯＦＦ状態になったと判定し、上記風量制御部（101）は、上記判定部（103）が上記排気扇（80）のＯＦＦ状態を判定すると、上記回転数一定制御を中止して上記風量一定制御を行うことを特徴とする。
【００１６】
第２の発明の判定部（103）は、回転数一定制御中における給気ファン（26）及び排気ファン（25）の消費電力の変化量に基づいて、排気扇（80）がＯＦＦ状態になったことを判定する。排気扇（80）がＯＦＦ状態になったことを判定部（103）が判定すると、風量制御部（101）は、回転数一定制御を中止して風量一定制御を行う。
【００１７】
上記第３の発明は、上記給気ファン（26）及び排気ファン（25）の風量一定制御中において、上記給気ファン（26）の回転数の増大変化量が所定値を越え且つ上記排気ファン（25）の回転数の減少変化量が所定値を越えると、上記換気対象空間（S）へ室外の空気を給気する給気扇（90）がＯＮ状態になったと判定する判定部（103）を備え、上記風量制御部（101）は、上記判定部（103）が上記給気扇（90）のＯＮ状態を判定すると、上記風量一定制御を中止し、上記換気対象空間（S）の全体の給気量と全体の排気量がバランスするように、上記給気ファン（26）の回転数を低下させ且つ上記排気ファン（25）の回転数を上昇させた後に上記給気ファン（26）及び上記排気ファン（25）の回転数を一定に保つ回転数一定制御を行うことを特徴とする。
【００１８】
第３の発明では、給気ファン（26）及び排気ファン（25）の風量一定制御中において、給気扇（90）がＯＮ状態になったことを判定部（103）が判定する。具体的に、給気ファン（26）及び排気ファン（25）が風量一定制御を行っているときに給気扇（90）が運転されると、換気対象空間（S）の圧力が上昇し陽圧となる。この結果、給気ファン（26）の通風抵抗が増大する一方で、排気ファン（25）の通風抵抗が小さくなる。すると、風量一定制御により、給気ファン（26）の回転数が増大すると同時に排気ファン（25）の回転数が減少する。そこで、判定部（103）は、給気ファン（26）の回転数の増大変化量が所定値を越えると同時に排気ファン（25）の回転数の減少変化量が所定値を越えると、給気扇（90）がＯＮ状態になったと判定する。
【００１９】
第３の発明の風量制御部（101）は、給気扇（90）がＯＮ状態になったことを判定部（103）が判定すると、風量一定制御を中止し、換気対象空間（S）の全体の給気量と全体の排気量とがバランスするように、給気ファン（26）の回転数を低下させ且つ排気ファン（25）の回転数を上昇させた後に回転数一定制御を行う。これにより、給気扇（90）がＯＮ状態となった後、給気ファン（26）の風量が過剰となることを防止でき、換気対象空間（S）の給気量と排気量をバランスさせることができる。
【００２０】
第４の発明は、第３の発明において、上記判定部（103）は、上記回転数一定制御中において、上記給気ファン（26）の消費電力の増大変化量が所定値を越え且つ上記排気ファン（25）の消費電力の減少変化量が所定値を越えると、上記給気扇（90）がＯＦＦ状態になったと判定し、上記風量制御部（101）は、上記判定部（103）が上記給気扇（90）のＯＦＦ状態を判定すると、上記回転数一定制御を中止して上記風量一定制御を行うことを特徴とする。
【００２１】
第４の発明の判定部（103）は、回転数一定制御中における給気ファン（26）及び排気ファン（25）の消費電力の変化量に基づいて、給気扇（90）がＯＦＦ状態になったことを判定する。給気扇（90）がＯＦＦ状態になったことを判定部（103）が判定すると、風量制御部（101）は、回転数一定制御を中止して風量一定制御を行う。
【発明の効果】
【００２２】
第１の発明によれば、給気ファン（26）及び排気ファン（25）の風量一定制御中において、排気ファン（25）の回転数の増大変化量に基づき、排気扇（80）のＯＮ状態を速やかに検出できる。このため、調湿換気装置（10）と排気扇（80）との間で伝送を行わずとも、排気扇（80）のＯＮ状態を検出して、排気ファン（25）の風量が過剰となることを防止できる。この結果、調湿換気装置（10）の構成の複雑化を招くことなく、排気ファン（25）の動力を削減でき、省エネ性を向上できる。
【００２３】
また、第１の発明では、給気ファン（26）及び排気ファン（25）の風量一定制御中において、排気ファン（25）の回転数の増大変化量と給気ファン（26）の回転数の減少変化量との双方が所定値を越えると、排気扇（80）がＯＮ状態になったと判定する。このため、例えば排気ファン（25）に対応する排気通路のフィルタの目詰まりやダンパの異常等に起因して、排気ファン（25）の回転数が増大変化した際、判定部（103）において、排気扇（80）がＯＮ状態になったと誤判定されることを防止できる。
【００２４】
第３の発明によれば、給気ファン（26）及び排気ファン（25）の風量一定制御中において、給気ファン（26）の回転数の増大変化量に基づき、給気扇（90）のＯＮ状態を速やかに検出できる。このため、調湿換気装置（10）と給気扇（90）との間で伝送を行わずとも、給気扇（90）のＯＮ状態を検出して、給気ファン（26）の風量が過剰となることを防止できる。この結果、調湿換気装置（10）の構成の複雑化を招くことなく、給気ファン（26）の動力を削減でき、省エネ性を向上できる。
【００２５】
また、第３の発明によれば、給気ファン（26）及び排気ファン（25）の風量一定制御中において、給気ファン（26）の回転数の増大変化量と排気ファン（25）の回転数の減少変化量との双方が所定値を越えると、給気扇（90）がＯＮ状態になったと判定する。このため、例えば給気ファン（26）に対応する給気通路のフィルタの目詰まりやダンパの異常等に起因して、給気ファン（26）の回転数が増大変化した際、判定部（103）において、給気扇（90）がＯＮ状態になったと誤判定されることを防止できる。
【図面の簡単な説明】
【００２６】
【図１】図１は、実施形態１の換気システムの概略構成図である。
【図２】図２は、調湿換気装置の概略構造を示す平面図、右側面図、及び左側面図である。
【図３】図３は、冷媒回路の構成を示す配管系統図であって、(Ａ)は第１冷凍サイクル動作中の動作を示し、(Ｂ)は第２冷凍サイクル動作中の動作を示す。
【図４】図４は、除湿運転の第１バッチ動作中の空気の流れを示す調湿換気装置の概略の平面図、右側面図、及び左側面図である。
【図５】図５は、除湿運転の第２バッチ動作中の空気の流れを示す調湿換気装置の概略の平面図、右側面図、及び左側面図である。
【図６】図６は、加湿運転の第１バッチ動作中の空気の流れを示す調湿換気装置の概略の平面図、右側面図、及び左側面図である。
【図７】図７は、加湿運転の第２バッチ動作中の空気の流れを示す調湿換気装置の概略の平面図、右側面図、及び左側面図である。
【図８】図８は、実施形態１に係る風量制御のフローチャートである。
【図９】図９は、実施形態１に係る風量制御のタイムチャートである。
【図１０】図１０は、実施形態２の換気システムの概略構成図である。
【図１１】図１１は、実施形態２に係る風量制御のフローチャートである。
【図１２】図１２は、実施形態２に係る風量制御のタイムチャートである。
【発明を実施するための形態】
【００２７】
本発明の実施形態を図面に基づいて詳細に説明する。なお、以下で説明する実施形態は、本質的に好ましい例示であって、本発明、その適用物、あるいはその用途の範囲を制限することを意図するものではない。
【００２８】
《発明の実施形態１》
本発明の実施形態１について説明する。本実施形態の換気システム（1）は、調湿換気装置（10）と、排気ユニット（80）とを備えている。図１に示すように、調湿換気装置（10）と、排気ユニット（80）とは、同一の室内空間（S）を換気対象の空間としている。なお、換気システム（1）において、換気対象となる空間は、必ずしも同じ部屋内である必要はない。つまり、換気対象空間（S）は、住宅やオフィス等における複数の部屋に亘った空間であってもよい。
【００２９】
−排気ユニット−
排気ユニット（80）は、調湿換気装置（10）と別の他の換気装置であり、室内空間（S）の室内空気を室外へ排出する排気扇を構成している。排気ユニット（80）は、排気ダクト（81）と、該排気ダクト（81）の内部に設置される補助排気ファン（82）とを備えている。補助排気ファン（82）が運転（ＯＮ）状態になると、室内空間（S）の室内空気（RA）が排気ダクト（81）に取り込まれる。排気ダクト（81）を通過した空気は、排出空気（EA）として室外へ排出される。排気ユニット（80）は、例えばユーザが所定のＯＮ及びＯＦＦスイッチを操作することで、運転状態及び停止状態が切り換えられる。
【００３０】
−調湿換気装置−
調湿換気装置（10）は、室内空間（S）の換気を行うと共に、室内空間（S）へ供給する空気の温度と湿度とを調節する。つまり、調湿換気装置（10）は、外気ダクト（図示省略）を介して室外空気（OA）を取り込み、この室外空気（OA）を調湿ユニット（50）で調湿する。調湿された空気は、給気ダクト（図示省略）を介して供給空気（SA）として室内へ供給される。また、調湿換気装置（10）は、内気ダクト（図示省略）を介して室内空気（RA）を取り込む。この空気は、排気ダクト（図示省略）を介して排出空気（EA）として室外へ排出される。
【００３１】
〈調湿換気装置の全体構成〉
調湿換気装置（10）の全体構成について、図２を参照しながら説明する。なお、ここでの説明で用いる「上」「下」「左」「右」「前」「後」「手前」「奥」は、特にことわらない限り、調湿換気装置（10）を後述する前面パネル部（12）側から見た場合の方向を意味している。
【００３２】
調湿換気装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００３３】
ケーシング（11）は、高さが比較的低い直方体状に形成されている。このケーシング（11）には、外気吸込口（24）と、内気吸込口（23）と、給気口（22）と、排気口（21）とが形成されている。
【００３４】
外気吸込口（24）及び内気吸込口（23）は、ケーシング（11）の背面パネル部（13）に設けられている。外気吸込口（24）は、背面パネル部（13）の下側部分に設けられている。内気吸込口（23）は、背面パネル部（13）の上側部分に設けられている。給気口（22）は、ケーシング（11）の第１側面パネル部（14）に設けられている。第１側面パネル部（14）において、給気口（22）は、ケーシング（11）の前面パネル部（12）側の端部付近に配置されている。排気口（21）は、ケーシング（11）の第２側面パネル部（15）に設けられている。第２側面パネル部（15）において、排気口（21）は、前面パネル部（12）側の端部付近に配置されている。
【００３５】
給気口（22）と内気吸込口（23）のそれぞれは、ダクトを介して室内空間（S）と連通している。給気口（22）及び内気吸込口（23）が連通する室内空間（S）は、排気ユニット（80）が空気を吸引する室内空間（S）と同じである。一方、排気口（21）と外気吸込口（24）のそれぞれは、ダクトを介して室外空間と連通している。
【００３６】
ケーシング（11）の内部空間には、上流側仕切板（16）と、下流側仕切板（17）と、中央仕切板（18）とが設けられている。これらの仕切板（16〜18）は、何れもケーシング（11）の底板に起立した状態で設置されており、ケーシング（11）の内部空間をケーシング（11）の底板から天板に亘って区画している。
【００３７】
上流側仕切板（16）及び下流側仕切板（17）は、前面パネル部（12）及び背面パネル部（13）と平行な姿勢で、ケーシング（11）の前後方向に所定の間隔をおいて配置されている。上流側仕切板（16）は、背面パネル部（13）寄りに配置されている。下流側仕切板（17）は、前面パネル部（12）寄りに配置されている。中央仕切板（18）の配置については、後述する。
【００３８】
ケーシング（11）内において、上流側仕切板（16）と背面パネル部（13）の間の空間は、上下二つの空間に仕切られており、上側の空間が内気側通路（32）を構成し、下側の空間が外気側通路（34）を構成している。内気側通路（32）は内気吸込口（23）に連通し、外気側通路（34）は外気吸込口（24）に連通している。
【００３９】
内気側通路（32）には、内気側フィルタ（27）と、内気温度センサ（71）と、内気湿度センサ（72）とが設置されている。内気温度センサ（71）は、内気側通路（32）を流れる室内空気の温度を計測する。内気湿度センサ（72）は、内気側通路（32）を流れる室内空気の相対湿度を計測する。一方、外気側通路（34）には、外気側フィルタ（28）と、外気温度センサ（73）と、外気湿度センサ（74）とが設置されている。外気温度センサ（73）は、外気側通路（34）を流れる室外空気の温度を計測する。外気湿度センサ（74）は、外気側通路（34）を流れる室外空気の相対湿度を計測する。なお、図４〜７では、内気温度センサ（71）、内気湿度センサ（72）、外気温度センサ（73）、及び外気湿度センサ（74）の図示を省略している。
【００４０】
ケーシング（11）内における上流側仕切板（16）と下流側仕切板（17）の間の空間は、中央仕切板（18）によって左右に区画されており、中央仕切板（18）の右側の空間が第１熱交換器室（37）を構成し、中央仕切板（18）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００４１】
各吸着熱交換器（51,52）は、いわゆるクロスフィン型のフィン・アンド・チューブ熱交換器の表面に吸着剤を担持させたものである。各吸着熱交換器（51,52）は、全体として長方形の厚板状あるいは扁平な直方体状に形成されている。そして、各吸着熱交換器（51,52）は、その前面及び背面が上流側仕切板（16）及び下流側仕切板（17）と平行になる姿勢で、熱交換器室（37,38）内に起立した状態で設置されている。
【００４２】
ケーシング（11）の内部空間において、下流側仕切板（17）の前面に沿った空間は、上下に仕切られており、この上下に仕切られた空間のうち、上側の部分が給気側通路（31）を構成し、下側の部分が排気側通路（33）を構成している。
【００４３】
上流側仕切板（16）には、開閉式のダンパ（41〜44）が四つ設けられている。各ダンパ（41〜44）は、概ね横長の長方形状に形成されている。具体的に、上流側仕切板（16）のうち内気側通路（32）に面する部分（上側部分）では、中央仕切板（18）よりも右側に第１内気側ダンパ（41）が取り付けられ、中央仕切板（18）よりも左側に第２内気側ダンパ（42）が取り付けられる。また、上流側仕切板（16）のうち外気側通路（34）に面する部分（下側部分）では、中央仕切板（18）よりも右側に第１外気側ダンパ（43）が取り付けられ、中央仕切板（18）よりも左側に第２外気側ダンパ（44）が取り付けられる。上流側仕切板（16）に設けられた四つのダンパ（41〜44）は、空気の流通経路を切り換える切換機構（40）を構成している。
【００４４】
下流側仕切板（17）には、開閉式のダンパ（45〜48）が四つ設けられている。各ダンパ（45〜48）は、概ね横長の長方形状に形成されている。具体的に、下流側仕切板（17）のうち給気側通路（31）に面する部分（上側部分）では、中央仕切板（18）よりも右側に第１給気側ダンパ（45）が取り付けられ、中央仕切板（18）よりも左側に第２給気側ダンパ（46）が取り付けられる。また、下流側仕切板（17）のうち排気側通路（33）に面する部分（下側部分）では、中央仕切板（18）よりも右側に第１排気側ダンパ（47）が取り付けられ、中央仕切板（18）よりも左側に第２排気側ダンパ（48）が取り付けられる。下流側仕切板（17）に設けられた四つのダンパ（45〜48）は、空気の流通経路を切り換える切換機構（40）を構成している。
【００４５】
ケーシング（11）内において、給気側通路（31）及び排気側通路（33）と前面パネル部（12）との間の空間は、仕切板（19）によって左右に仕切られており、仕切板（19）の右側の空間が給気ファン室（36）を構成し、仕切板（19）の左側の空間が排気ファン室（35）を構成している。
【００４６】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（17）側から吸い込んだ空気を給気口（22）へ吹き出す。排気ファン（25）は、下流側仕切板（17）側から吸い込んだ空気を排気口（21）へ吹き出す。給気ファン（26）及び排気ファン（25）は、それぞれ電動機であるＤＣモータによって駆動される。
【００４７】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（19）との間に配置されている。
【００４８】
〈冷媒回路の構成〉
冷媒回路（50）は、室内空間（S）へ供給される空気を調湿するための調湿ユニットを構成する。図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４９】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、四方切換弁（54）の第３のポートから第４のポートへ向かって順に、第１吸着熱交換器（51）と、電動膨張弁（55）と、第２吸着熱交換器（52）とが配置されている。
【００５０】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５１】
圧縮機（53）は、圧縮機構とそれを駆動する電動機とが一つのケーシングに収容された全密閉型の圧縮機である。この圧縮機（53）の電動機には、インバータを介して交流が供給される。インバータの出力周波数（即ち、圧縮機の運転周波数）を変更すると、電動機とそれによって駆動される圧縮機構の回転速度が変化し、圧縮機（53）の運転容量が変化する。
【００５２】
〈他のセンサ、及びコントローラの構成〉
図１に示すように、調湿換気装置（10）は、給気側回転数検知部（75）と、給気側電力検知部（76）と、排気側回転数検知部（77）と、排気側電力検知部（78）とを備えている。給気側回転数検知部（75）は、給気ファン（26）のモータの回転数を計測する。給気側電力検知部（76）は、給気ファン（26）のモータの消費電力を計測する。排気側回転数検知部（77）は、排気ファン（25）のモータの回転数を計測する。排気側電力検知部（78）は、排気ファン（25）のモータの消費電力を計測する。
【００５３】
調湿換気装置（10）には、コントローラ（100）が設けられている（図１を参照）。コントローラ（100）には、内気湿度センサ（72）、内気温度センサ（71）、外気湿度センサ（74）、及び外気温度センサ（73）の計測値が入力される。また、コントローラ（100）には、冷媒回路（50）に設けられた温度センサや圧力センサの計測値が入力される。コントローラ（100）は、これらの計測値に基づいて空気の調湿能力を調節する。
【００５４】
コントローラ（100）には、風量制御部（101）、記憶部（102）、及び判定部（103）が設けられる。
【００５５】
風量制御部（101）は、給気側電力検知部（76）、排気側回転数検知部（77）、及び排気側電力検知部（78）の計測値に基づいて、給気ファン（26）及び排気ファン（25）のモータの回転数を調節する。具体的に、風量制御部（101）は、風量一定制御と回転数一定制御とを切り換えて行うように構成される。風量一定制御では、給気ファン（26）及び排気ファン（25）の各風量が所定の目標風量に近づくように、モータの回転数が調節される。給気ファン（26）の目標風量と、排気ファン（25）の目標風量とは基本的に同じ値に設定される。また、回転数一定制御では、給気ファン（26）及び排気ファン（25）の回転数が所定の目標回転数で一定となるように、モータの回転数が調節される。
【００５６】
コントローラ（100）の記憶部（102）には、各モータの消費電力と、各モータの回転数と、各ファン（26,27）の風量とを関連づけたデータが記憶されている。風量一定制御において、風量制御部（101）は、所定の間隔における消費電力の積算値を算出する。そして、風量制御部（101）は、記憶部（102）に記憶されたデータに基づき、算出された消費電力の積算値が予め設定された目標風量の必要電力値となるように、各ファン（26,27）の回転数を決定する。
【００５７】
本実施形態の判定部（103）は、排気ユニット（80）のＯＮ／ＯＦＦ状態を判定する。具体的に、判定部（103）は、調湿換気装置（10）が風量一定制御を行っているときに、排気ファン（25）及び給気ファン（26）のモータ回転数に基づき、排気ユニット（80）がＯＦＦ状態からＯＮ状態になったことを検出するように構成される。
【００５８】
一方、風量制御部（101）は、判定部（103）により排気ユニット（80）がＯＮ状態になったと判定されると、排気ファン（25）の風量が小さくなるように、回転数一定制御を行うように構成される。つまり、風量制御部（101）は、排気ユニット（80）により、排気ユニット（80）がＯＮ状態になったと判定されると、換気対象空間（S）の全体の給気量と全体の排気量とがバランスするように、排気ファン（25）の回転数を低下させる。また、判定部（103）は、調湿換気装置（10）が回転数一定制御を行っているときに、排気ファン（25）及び給気ファン（26）のモータ消費電力の変化量に基づき、排気ユニット（80）がＯＮ状態からＯＦＦ状態になったことを検出する。そして、風量制御部（101）は、回転一定制御中に排気ユニット（80）がＯＦＦ状態になったと判定されると、回転数一定制御から風量一定制御へ移行させるように構成される。このような風量制御の詳細は後述する。
【００５９】
−調湿換気装置の運転動作−
本実施形態の調湿換気装置（10）は、除湿運転と、加湿運転とを実行可能である。除湿運転および加湿運転では、給気ファン（26）及び排気ファン（25）が運転される。そして、調湿換気装置（10）は、取り込んだ室外空気（OA）を供給空気（SA）として室内空間（S）へ供給し、取り込んだ室内空気（RA）を排出空気（EA）として室外空間へ排出する。
【００６０】
〈除湿運転〉
除湿運転中の調湿換気装置（10）では、室外空気が外気吸込口（24）からケーシング（11）内へ第１空気として取り込まれ、室内空気が内気吸込口（23）からケーシング（11）内へ第２空気として取り込まれる。また、冷媒回路（50）では、圧縮機（53）が作動し、電動膨張弁（55）の開度が調節される。そして、除湿運転中の調湿換気装置（10）は、後述する第１バッチ動作と第２バッチ動作を３分間ずつ交互に繰り返し行う。
【００６１】
先ず、除湿運転の第１バッチ動作について説明する。
【００６２】
図４に示すように、除湿運転の第１バッチ動作では、切換機構（40）が空気の流通経路を第２経路に設定する。具体的には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１バッチ動作では、冷媒回路（50）が第１冷凍サイクル動作を行う。つまり、冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）において除湿された第１空気は、第２給気側ダンパ（46）を通って給気側通路（31）へ流入し、給気ファン室（36）を通過後に給気口（22）を通って室内空間（S）へ供給される。
【００６４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒によって加熱された吸着剤から水分が脱離し、この脱離した水分が第２空気に付与される。第１吸着熱交換器（51）において水分を付与された第２空気は、第１排気側ダンパ（47）を通って排気側通路（33）へ流入し、排気ファン室（35）を通過後に排気口（21）を通って室外空間へ排出される。
【００６５】
次に、除湿運転の第２バッチ動作について説明する。
【００６６】
図５に示すように、除湿運転の第２バッチ動作では、切換機構（40）が空気の流通経路を第１経路に設定する。具体的には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２バッチ動作では、冷媒回路（50）が第２冷凍サイクル動作を行う。つまり、冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）において除湿された第１空気は、第１給気側ダンパ（45）を通って給気側通路（31）へ流入し、給気ファン室（36）を通過後に給気口（22）を通って室内空間（S）へ供給される。
【００６８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒によって加熱された吸着剤から水分が脱離し、この脱離した水分が第２空気に付与される。第２吸着熱交換器（52）において水分を付与された第２空気は、第２排気側ダンパ（48）を通って排気側通路（33）へ流入し、排気ファン室（35）を通過後に排気口（21）を通って室外空間へ排出される。
【００６９】
〈加湿運転〉
加湿運転は、調湿換気装置（10）が吸い込んだ室外空気を加湿して室内へ供給する運転である。また、加湿運転中の調湿換気装置（10）では、室外空気が加熱される。つまり、この加湿運転は、調湿換気装置（10）が室外空気を加熱する加熱運転である。
【００７０】
加湿運転中の調湿換気装置（10）では、室外空気が外気吸込口（24）からケーシング（11）内へ第２空気として取り込まれ、室内空気が内気吸込口（23）からケーシング（11）内へ第１空気として取り込まれる。また、冷媒回路（50）では、圧縮機（53）が作動し、電動膨張弁（55）の開度が調節される。そして、加湿運転中の調湿換気装置（10）は、後述する第１バッチ動作と第２バッチ動作を所定の切換時間ずつ交互に繰り返し行う。詳しくは後述するが、加湿運転中において、第１バッチ動作と第２バッチ動作が切り切り換わる時間間隔（即ち、切換時間）は、コントローラ（100）によって調節される。
【００７１】
先ず、加湿運転の第１バッチ動作について説明する。
【００７２】
図６に示すように、加湿運転の第１バッチ動作では、切換機構（40）が空気の流通経路を第１経路に設定する。具体的には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１バッチ動作では、冷媒回路（50）が第１冷凍サイクル動作を行う。つまり、冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）において水分を奪われた第１空気は、第２排気側ダンパ（48）を通って排気側通路（33）へ流入し、排気ファン室（35）を通過後に排気口（21）を通って室外空間へ排出される。
【００７４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒によって加熱された吸着剤から水分が脱離し、この脱離した水分が第２空気に付与される。第１吸着熱交換器（51）において加湿された第２空気は、第１給気側ダンパ（45）を通って給気側通路（31）へ流入し、給気ファン室（36）を通過後に給気口（22）を通って室内空間（S）へ供給される。
【００７５】
次に、加湿運転の第２バッチ動作について説明する。
【００７６】
図７に示すように、加湿運転の第２バッチ動作では、切換機構（40）が空気の流通経路を第２経路に設定する。具体的には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２バッチ動作では、冷媒回路（50）が第２冷凍サイクル動作を行う。つまり、冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）において水分を奪われた第１空気は、第１排気側ダンパ（47）を通って排気側通路（33）へ流入し、排気ファン室（35）を通過後に排気口（21）を通って室外空間へ排出される。
【００７８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒によって加熱された吸着剤から水分が脱離し、この脱離した水分が第２空気に付与される。第２吸着熱交換器（52）において加湿された第２空気は、第２給気側ダンパ（46）を通って給気側通路（31）へ流入し、給気ファン室（36）を通過後に給気口（22）を通って室内空間（S）へ供給される。
【００７９】
−排気ユニットの運転に伴う風量制御−
次いで、排気ユニット（80）の運転に伴う調湿換気装置（10）の風量制御について図８及び図９を参照しながら説明する。
【００８０】
上述した除湿運転や加湿運転が開始されると、調湿換気装置（10）の風量制御部（101）は、給気ファン（26）の風量が目標風量（目標給気風量Ｖ-s）に近づき、且つ排気ファン（25）の風量が目標風量（目標排気風量Ｖ-e）に近づくように、給気ファン（26）のモータ及び排気ファン（25）のモータを制御する（ステップＳｔ１）。つまり、調湿換気装置（10）の運転開始時には、給気ファン（26）及び排気ファン（25）において、風量一定制御が行われる。なお、給気ファン（26）及び排気ファン（25）の各風量は、所定の制御間隔（図９に示す各破線の間の間隔）毎に更新して調節される。
【００８１】
風量一定制御中において、図９に示す更新時刻ｔ１の直前にユーザが排気ユニット（80）をＯＦＦ状態からＯＮ状態に切り換えたとする。すると、排気ユニット（80）では、補助排気ファン（82）が運転され、室内空間（S）の室内空気（RA）が排気ダクト（81）に吸引され、排出空気（EA）として室外へ排出される。この結果、室内空間（S）の圧力が低下して負圧となる。
【００８２】
室内空間（S）が負圧になると、調湿換気装置（10）の排気ファン（25）の通風抵抗が増大する。この排気ファン（25）は、風量一定制御により、風量が目標排気風量Ｖ-eに近づくように制御されている。このため、排気ユニット（80）がＯＮされた直後の更新時刻ｔ１においては、排気ファン（25）のモータ回転数が大きく増大変化する。
【００８３】
また、室内空間（S）が負圧になると、調湿換気装置（10）の給気ファン（26）の通風抵抗が減少する。この給気ファン（26）は、風量一定制御により、風量が目標給気風量Ｖ-sに近づくように制御されている。このため、排気ユニット（80）がＯＮされた直後の更新時刻ｔ１においては、給気ファン（26）のモータ回転数が大きく減少変化する。
【００８４】
本実施形態の判定部（103）は、このような排気ファン（25）のモータ回転数の増大変化、及び給気ファン（26）のモータ回転数の減少変化に基づき、排気ユニット（80）がＯＮ状態になったことを判定する。
【００８５】
即ち、判定部（103）は、図８のステップＳｔ２において、給気ファン（26）のモータ回転数の減少変化量Δr-sが所定値を越え且つ排気ファン（25）のモータ回転数の増大変化量Δr-eが所定値を越えているか否か判定する。そして、例えば時刻ｔ１において、給気ファン（26）のモータ回転数の減少変化量Δr-sが所定値を越え且つ排気ファン（25）のモータ回転数の増大変化量Δr-eが所定値を越えると、ステップＳｔ３へ移行する。
【００８６】
ステップＳｔ３では、次の更新時刻ｔ２において、給気ファン（26）のモータ回転数が、その直前の更新時刻ｔ１の回転数となるように、風量一定制御から回転数一定制御へ移行する。つまり、更新時刻ｔ２以降は、給気ファン（26）のモータの目標回転数が、時刻ｔ１での給気ファン（26）のモータ回転数r-s1となるように、回転数一定制御が行われる。同時に、ステップＳｔ３では、更新時刻ｔ２において、排気ファン（25）のモータ回転数が、その直前の更新時刻ｔ１の回転数より所定回転数だけ小さくなるように、風量一定制御から回転数一定制御へ移行する。つまり、更新時刻ｔ２以降は、排気ファン（25）のモータの目標回転数が時刻ｔ１での排気ファン（25）のモータ回転数よりも低い回転数r-e1となるように、回転数一定制御が行われる。
【００８７】
以上のように風量一定制御から回転数一定制御へ移行することで、排気ファン（25）の風量が低下する一方、給気ファン（26）の風量が増大する。この結果、室内空間（S）の圧力が大気圧に近づくとともに、排気ファン（25）の排気風量が過剰となることが防止される。つまり、本実施形態では、判定部（103）により、排気ユニット（80）がＯＮ状態になったことが判定されると、排気ファン（25）の風量が速やかに小さくなる。この結果、排気ファン（25）の動力を低減でき、省エネ性を向上できる。
【００８８】
ステップＳｔ３の後には、給気ファン（26）のモータ回転数がr-s1のまま維持され、且つ排気ファン（25）のモータ回転数がr-e1のまま維持されるように、回転数一定制御が継続して行われる。
【００８９】
この回転数一定制御中において、図９に示す更新時刻ｔ３の直前にユーザが排気ユニット（80）をＯＮ状態からＯＦＦ状態に切り換えたとする。すると、排気ユニット（80）では、補助排気ファン（82）が停止するので、室内空間（S）の室内空気（RA）は室外へ排出されない。一方、この回転数一定制御では、排気ファン（25）のモータ回転数が、給気ファン（26）のモータ回転数より小さめに保持されている。このため、排気ユニット（80）の停止に伴い、室内空間（S）の圧力が増大して陽圧となる。
【００９０】
室内空間（S）が陽圧になると、排気ファン（25）の排気風量が増大するので、排気ファン（25）のモータの消費電力も増大する。一方、給気ファン（26）の給気風量は減少するので、給気ファン（26）のモータの消費電力は減少する。
【００９１】
本実施形態の判定部（103）は、このような排気ファン（25）のモータ消費電力の増大変化、及び給気ファン（26）のモータ消費電力の減少変化に基づき、排気ユニット（80）がＯＦＦ状態になったことを判定する。
【００９２】
即ち、判定部（103）は、図８のステップＳｔ５において、給気ファン（26）のモータ消費電力の減少変化量ΔＷ-sが所定値を越え且つ排気ファン（25）のモータ消費電力の増大変化量ΔＷ-eが所定値を越えているか否か判定する。そして、例えば時刻ｔ３において、給気ファン（26）のモータ消費電力の減少変化量ΔＷ-sが所定値を越え且つ排気ファン（25）のモータ消費電力の増大変化量ΔＷ-eが所定値を越えると、ステップＳｔ１へ移行する。この結果、回転数一定制御から風量一定制御へ移行し、給気ファン（26）及び排気ファン（25）の風量が元の目標風量Ｖ-s,Ｖ-eに近づくように、各モータの回転数が制御される。
【００９３】
以上のように回転数一定制御から風量一定制御へ移行することで、排気ファン（25）の風量が低下する一方、給気ファン（26）の風量が増大する。この結果、室内空間（S）の圧力が大気圧に近づくとともに、排気ファン（25）の風量が過剰となることが防止される。つまり、本実施形態では、判定部（103）により、排気ユニット（80）がＯＦＦ状態になったことが判定されると、排気ファン（25）の風量が速やかに小さくなる。この結果、排気ファン（25）の動力を低減でき、省エネ性を向上できる。
【００９４】
−実施形態１の効果−
実施形態１よれば、調湿換気装置（10）の風量一定制御中において、各ファン（26,27）の回転数の変化に基づいて排気ユニット（80）のＯＮ／ＯＦＦ状態を判定し、この判定結果に基づいてファン（26,27）の風量を変化させている。このため、調湿換気装置（10）と排気ユニット（80）との間で伝送を行わずとも、排気ユニット（80）のＯＮ／ＯＦＦ状態を検出でき、排気ファン（25）の動力を削減できる。
【００９５】
また、ステップＳｔ２においては、排気ファン（25）のモータ回転数の増大変化量Δr-eと給気ファン（26）のモータ回転数の減少変化量Δr-eとの双方が所定値を越えると、排気ユニット（80）がＯＮ状態になったと判定している。このため、例えば内気側フィルタ（27）の目詰まりや、各ダンパ（41〜48）の異常等に起因して、排気ファン（25）の回転数が増大変化した際、判定部（103）において、排気ユニット（80）がＯＮ状態になったと誤判定されることを防止できる。
【００９６】
また、排気ユニット（80）がＯＮ状態になった後には、回転数一定制御により、排気ファン（25）の回転数を低減している。このため、排気ユニット（80）がＯＮ状態なった後、速やかに排気ファン（25）の風量を低減でき、排気ファン（25）の動力を確実に低減できる。
【００９７】
更に、回転数一定制御においては、排気ファン（25）の消費電力の増大変化量Ｗ-eと給気ファン（26）の消費電力の減少変化量Ｗ-sとの双方が所定値を越えると、排気ユニット（80）がＯＦＦ状態になったと判定している。このため、調湿換気装置（10）と排気ユニット（80）との間で伝送を行わずとも、排気ユニット（80）のＯＦＦ状態を確実に検出できる。
【００９８】
〈実施形態１の変形例〉
上述した実施形態１においては、以下のような変形例の構成としてもよい。
【００９９】
実施形態１では、ステップＳｔ２において、給気ファン（26）のモータ回転数の減少変化量Δr-sが所定値を越え、且つ排気ファン（25）のモータ回転数の増大変化量Δr-eが所定値を越えると、ステップＳｔ３へ移行し、排気ファン（25）の風量を低減させている。しかし、ステップＳｔ２において、給気ファン（26）のモータ回転数の減少変化量Δr-sに拘わらず、排気ファン（25）のモータ回転数の増大変化量Δr-eが所定値を越えると、ステップＳｔ３へ移行し、排気ファン（25）の風量を低減してもよい。
【０１００】
また、上記実施形態１では、ステップＳｔ２において、判定部（103）により排気ユニット（80）のＯＮ状態が検出されると、回転数一定制御に移行し、排気ファン（25）の風量を低下させている。しかし、ステップＳｔ２において、判定部（103）により排気ユニット（80）のＯＮ状態が検出されると、排気ファン（25）の目標風量を低下させて風量一定制御を継続して行うようにしてもよい。この場合にも、排気ユニット（80）がＯＮされた後、速やかに排気ファン（25）の風量を低減できるので、排気ファン（25）の動力を削減できる。
【０１０１】
また、上記実施形態１では、ステップＳｔ５において、給気ファン（26）のモータ消費電力の減少変化量ΔＷ-sが所定値を越え、且つ排気ファン（25）のモータ消費電力の増大変化量ΔＷ-eが所定値を越えると、ステップＳｔ１へ移行し、風量一定制御へ移行している。しかし、ステップＳｔ５において、給気ファン（26）のモータ消費電力の減少変化量ΔＷ-sに拘わらず、排気ファン（25）のモータ消費電力の増大変化量ΔＷ-eが所定値を越えると、ステップＳｔ１へ移行し、風量一定制御へ移行してもよい。
【０１０２】
《発明の実施形態２》
本発明の実施形態２について説明する。本実施形態の換気システム（1）は、調湿換気装置（10）と、給気ユニット（90）とを備えている。図１０に示すように、調湿換気装置（10）と、給気ユニット（90）とは、同一の室内空間（S）を換気対象の空間としている。なお、換気システム（1）において、換気対象となる空間は、必ずしも同じ部屋内である必要はない。つまり、換気対象空間（S）は、住宅やオフィス等における複数の部屋に亘った空間であってもよい。
【０１０３】
−給気ユニット−
給気ユニット（90）は、調湿換気装置（10）と別の他の換気装置であり、室外空気を室内空間（S）へ供給する給気扇を構成している。給気ユニット（90）は、給気ダクト（91）と、該給気ダクト（91）の内部に設置される補助給気ファン（92）とを備えている。補助給気ファン（92）が運転（ＯＮ）状態になると、室外空気（OA）が給気ダクト（91）に取り込まれる。給気ダクト（91）を通過した空気は、供給空気（SA）として室内空間（S）へ供給される。給気ユニット（90）は、例えばユーザが所定のＯＮ及びＯＦＦスイッチを操作することで、運転状態及び停止状態が切り換えられる。
【０１０４】
−給気ユニットの運転に伴う風量制御−
次いで、給気ユニット（90）の運転に伴う調湿換気装置（10）の風量制御について図１１及び図１２を参照しながら説明する。
【０１０５】
上述した除湿運転や加湿運転が開始されると、調湿換気装置（10）の風量制御部（101）は、給気ファン（26）の風量が目標風量（目標給気風量Ｖ-s）に近づき、且つ排気ファン（25）の風量が目標風量（目標排気風量Ｖ-e）に近づくように、給気ファン（26）のモータ及び排気ファン（25）のモータを制御する（ステップＳｔ２１）。つまり、調湿換気装置（10）の運転開始時には、給気ファン（26）及び排気ファン（25）において、風量一定制御が行われる。なお、給気ファン（26）及び排気ファン（25）の各風量は、所定の制御間隔（図１２に示す各破線の間の間隔）毎に更新して調節される。
【０１０６】
風量一定制御中において、図１２に示す更新時刻ｔ４の直前にユーザが給気ユニット（90）をＯＦＦ状態からＯＮ状態に切り換えたとする。すると、給気ユニット（90）では、補助給気ファン（92）が運転され、室外空気（OA）が給気ダクト（91）に吸引され、供給空気（SA）として室内空間（S）へ供給される。この結果、室内空間（S）の圧力が増大して陽圧となる。
【０１０７】
室内空間（S）が陽圧になると、調湿換気装置（10）の給気ファン（26）の通風抵抗が増大する。この給気ファン（26）は、風量一定制御により、風量が目標給気風量Ｖ-sに近づくように制御されている。このため、給気ユニット（90）がＯＮされた直後の更新時刻ｔ４においては、給気ファン（26）のモータ回転数が大きく増大変化する。
【０１０８】
また、室内空間（S）が陽圧になると、調湿換気装置（10）の排気ファン（25）の通風抵抗が減少する。この排気ファン（25）は、風量一定制御により、風量が目標排気風量Ｖ-eに近づくように制御されている。このため、給気ユニット（90）がＯＮされた直後の更新時刻ｔ４においては、排気ファン（25）のモータ回転数が大きく減少変化する。
【０１０９】
実施形態２の判定部（103）は、このような給気ファン（26）のモータ回転数の増大変化、及び排気ファン（25）のモータ回転数の減少変化に基づき、給気ユニット（90）がＯＮ状態になったことを判定する。
【０１１０】
即ち、判定部（103）は、図１１のステップＳｔ２２において、給気ファン（26）のモータ回転数の増大変化量Δr-sが所定値を越え且つ排気ファン（25）のモータ回転数の減少変化量Δr-eが所定値を越えているか否か判定する。そして、例えば時刻ｔ４において、給気ファン（26）のモータ回転数の増大変化量Δr-sが所定値を越え且つ排気ファン（25）のモータ回転数の減少変化量Δr-eが所定値を越えると、ステップＳｔ２３へ移行する。
【０１１１】
ステップＳｔ２３では、次の更新時刻ｔ５において、給気ファン（26）のモータ回転数が、その直前の更新時刻ｔ４の回転数より所定回転数だけ小さくなるように、風量一定制御から回転数一定制御へ移行する。つまり、更新時刻ｔ５以降は、給気ファン（26）のモータの目標回転数が、時刻ｔ４での給気ファン（26）のモータ回転数r-s4より低い回転数となるように、回転数一定制御が行われる。同時に、ステップＳｔ２３では、更新時刻ｔ５において、排気ファン（25）のモータ回転数が、その直前の更新時刻ｔ４の回転数になるように、風量一定制御から回転数一定制御へ移行する。つまり、更新時刻ｔ５以降は、排気ファン（25）のモータの目標回転数が時刻ｔ４での排気ファン（25）のモータ回転数r-e4となるように、回転数一定制御が行われる。
【０１１２】
以上のように風量一定制御から回転数一定制御へ移行することで、給気ファン（26）の風量が低下する一方、排気ファン（25）の風量が増大する。この結果、室内空間（S）の圧力が大気圧に近づくとともに、給気ファン（26）の給気風量が過剰となることが防止される。つまり、本実施形態では、判定部（103）により、給気ユニット（90）がＯＮ状態になったことが判定されると、給気ファン（26）の風量が速やかに小さくなる。この結果、給気ファン（26）の動力を低減でき、省エネ性を向上できる。
【０１１３】
ステップＳｔ２３の後には、給気ファン（26）のモータ回転数がr-s4のまま維持され、且つ排気ファン（25）のモータ回転数がr-e4のまま維持されるように、回転数一定制御が継続して行われる。
【０１１４】
この回転数一定制御中において、図１２に示す更新時刻ｔ６の直前にユーザが給気ユニット（90）をＯＮ状態からＯＦＦ状態に切り換えたとする。すると、給気ユニット（90）では、補助給気ファン（92）が停止するので、室外空気が室内空間（S）へ供給されない。一方、この回転数一定制御では、給気ファン（26）のモータ回転数が、排気ファン（25）のモータ回転数より小さめに保持されている。このため、給気ユニット（90）の停止に伴い、室内空間（S）の圧力が減少して負圧となる。
【０１１５】
室内空間（S）が負圧になると、給気ファン（26）の給気風量が増大するので、給気ファン（26）のモータの消費電力も増大する。一方、排気ファン（25）の給気風量は減少するので、排気ファン（25）のモータの消費電力は減少する。
【０１１６】
本実施形態の判定部（103）は、このような給気ファン（26）のモータ消費電力の増大変化、及び排気ファン（25）のモータ消費電力の減少変化に基づき、給気ユニット（90）がＯＦＦ状態になったことを判定する。
【０１１７】
即ち、判定部（103）は、図１１のステップＳｔ２５において、給気ファン（26）のモータ消費電力の増大変化量ΔＷ-sが所定値を越え且つ排気ファン（25）のモータ消費電力の減少変化量ΔＷ-eが所定値を越えているか否か判定する。そして、例えば時刻ｔ６において、給気ファン（26）のモータ消費電力の増大変化量ΔＷ-sが所定値を越え且つ排気ファン（25）のモータ消費電力の減少変化量ΔＷ-eが所定値を越えると、ステップＳｔ２１へ移行する。この結果、回転数一定制御から風量一定制御へ移行し、給気ファン（26）及び排気ファン（25）の風量が元の目標風量Ｖ-s,Ｖ-eに近づくように、各モータの回転数が制御される。
【０１１８】
以上のように回転数一定制御から風量一定制御へ移行することで、給気ファン（26）の風量が低下する一方、排気ファン（25）の風量が増大する。この結果、室内空間（S）の圧力が大気圧に近づくとともに、給気ファン（26）の風量が過剰となることが防止される。つまり、本実施形態では、判定部（103）により、給気ユニット（90）がＯＦＦ状態になったことが判定されると、給気ファン（26）の風量が速やかに小さくなる。この結果、給気ファン（26）の動力を低減でき、省エネ性を向上できる。
【０１１９】
−実施形態２の効果−
実施形態２よれば、調湿換気装置（10）の風量一定制御中において、各ファン（26,27）の回転数の変化に基づいて給気ユニット（90）のＯＮ／ＯＦＦ状態を判定し、この判定結果に基づいてファン（26,27）の風量を変化させている。このため、調湿換気装置（10）と給気ユニット（90）との間で伝送を行わずとも、給気ユニット（90）のＯＮ／ＯＦＦ状態を検出でき、給気ファン（26）の動力を削減できる。
【０１２０】
また、ステップＳｔ２２においては、給気ファン（26）のモータ回転数の増大変化量Δr-sと排気ファン（25）のモータ回転数の減少変化量Δr-eとの双方が所定値を越えると、給気ユニット（90）がＯＮ状態になったと判定している。このため、例えば外気側フィルタ（28）の目詰まりや、各ダンパ（41〜48）の異常等に起因して、給気ファン（26）の回転数が増大変化した際、判定部（103）において、給気ユニット（90）がＯＮ状態になったと誤判定されることを防止できる。
【０１２１】
また、給気ユニット（90）がＯＮ状態になった後には、回転数一定制御により、給気ファン（26）の回転数を低減している。このため、給気ユニット（90）がＯＮ状態なった後、速やかに給気ファン（26）の風量を低減でき、給気ファン（26）の動力を確実に低減できる。
【０１２２】
更に、回転数一定制御においては、給気ファン（26）の消費電力の増大変化量Ｗ-sと排気ファン（25）の消費電力の減少変化量Ｗ-eとの双方が所定値を越えると、給気ユニット（90）がＯＦＦ状態になったと判定している。このため、調湿換気装置（10）と給気ユニット（90）との間で伝送を行わずとも、給気ユニット（90）のＯＦＦ状態を確実に検出できる。
【０１２３】
〈実施形態２の変形例〉
上述した実施形態２においては、以下のような変形例の構成としてもよい。
【０１２４】
実施形態２では、ステップＳｔ２２において、給気ファン（26）のモータ回転数の増大変化量Δr-sが所定値を越え、且つ排気ファン（25）のモータ回転数の減少変化量Δr-eが所定値を越えると、ステップＳｔ２３へ移行し、給気ファン（26）の風量を低減させている。しかし、ステップＳｔ２２において、排気ファン（25）のモータ回転数の減少変化量Δr-eに拘わらず、給気ファン（26）のモータ回転数の増大変化量Δr-sが所定値を越えると、ステップＳｔ２３へ移行し、給気ファン（26）の風量を低減してもよい。
【０１２５】
また、上記実施形態２では、ステップＳｔ２２において、判定部（103）により給気ユニット（90）のＯＮ状態が検出されると、回転数一定制御に移行し、給気ファン（26）の風量を低下させている。しかし、ステップＳｔ２２において、判定部（103）により給気ユニット（90）のＯＮ状態が検出されると、給気ファン（26）の目標風量を低下させて風量一定制御を継続して行うようにしてもよい。この場合にも、給気ユニット（90）がＯＮされた後、速やかに給気ファン（26）の風量を低減できるので、給気ファン（26）の動力を削減できる。
【０１２６】
また、上記実施形態２では、ステップＳｔ２５において、給気ファン（26）のモータ消費電力の増大変化量ΔＷ-sが所定値を越え、且つ排気ファン（25）のモータ消費電力の減少変化量ΔＷ-eが所定値を越えると、ステップＳｔ２１へ移行し、風量一定制御へ移行している。しかし、ステップＳｔ２５において、排気ファン（25）のモータ消費電力の減少変化量ΔＷ-eに拘わらず、給気ファン（26）のモータ消費電力の増大変化量ΔＷ-sが所定値を越えると、ステップＳｔ２１へ移行し、風量一定制御へ移行してもよい。
【産業上の利用可能性】
【０１２７】
以上説明したように、本発明は、室内の換気及び調湿を行う調湿換気装置について有用である。
【符号の説明】
【０１２８】
10    調湿換気装置
25    排気ファン
26    給気ファン
50    冷媒回路（調湿ユニット）
80    排気ユニット（排気扇、他の換気装置）
90    給気ユニット（給気扇、他の換気装置）
101    風量制御部
103    判定部
【図１】
0005533973.tif 000002
【図２】
0005533973.tif 000003
【図３】
0005533973.tif 000004
【図４】
0005533973.tif 000005
【図５】
0005533973.tif 000006
【図６】
0005533973.tif 000007
【図７】
0005533973.tif 000008
【図８】
0005533973.tif 000009
【図９】
0005533973.tif 000010
【図１０】
0005533973.tif 000011
【図１１】
0005533973.tif 000012
【図１２】
0005533973.tif 000013